(57)【要約】【課題】  積層部材の間に藺草の細片状物や織成物を挟むことにより湿度調整機能や脱臭機能等を確保すると共に、これが積層部材を通過して外部に出難く、万が一出たときでも汚れが目立たない藺草積層体及びそれを使用した製品を提供する。【解決手段】  座布団Ａは藺草積層体Ｈ１を備えている。藺草積層体Ｈ１は、通気性を有するマット部材１，１を備えている。マット部材１，１の間には藺草の細片状物２が設けてある。細片状物２は粉状にならないよう長さが２ｃｍ以下程度に藺草の茎の部分を切断してある。細片状物２はマット部材１，１の間の全体に拡げてある。マット部材１，１は、間に細片状物２の湿度調整機能や脱臭機能等が確保できる程度の量の接着剤を設けて接着してある。マット部材１，１は座布団カバー３で覆われている。【選択図】図１
2007203540.tif 000002
【特許請求の範囲】
【請求項１】
藺草の細片状物(2)と、
通気性を備えると共に上記藺草の細片状物(2)が通過しない積層部材(1,1)と、
を含み、
積層部材(1,1)の間に藺草の細片状物(2)を全体的または散点的に散りばめた状態で挟んでいる、
藺草積層体。
【請求項２】
藺草の織成物と、
通気性を備える積層部材(1,1)と、
を含み、
積層部材(1,1)の間に藺草の織成物を全体的または散点的に配置した状態で挟んでいる、
藺草積層体。
【請求項３】
請求項１または２記載の藺草積層体が通気性を有するカバー材(3)で包まれている、
藺草積層体を使用した製品。
【発明の詳細な説明】
【技術分野】
【０００１】
本発明は藺草積層体及びそれを使用した製品に関する。更に詳しくは、積層部材の間に藺草の細片状物や織成物を挟んで、湿度調整機能や脱臭機能等を確保するものに関する。また、藺草の細片状物が積層部材を通過して外部に出難く、万が一出たときでも汚れが目立たないものに関する。更に、表面が冷たくならず使い心地が良いので、年間を通して使用できるものに関する。
【背景技術】
【０００２】
竹炭等の炭に湿度調整機能や脱臭機能があることは広く知られている。これらの炭は、例えば粒状や粉状のものを通気性を備える袋体に入れたり、合成繊維等に練り込んで編布、織布、不織布等にしたりして使用されている。
【０００３】
しかし、炭を粉状にして袋体に入れたものは、使用中等に炭粉が袋体から出て飛び散り、使用者や使用場所等を汚す等、使用や取り扱いに不便であるという課題があった。また、粒状の炭を袋体に入れた場合でも、使用と共に粒が砕かれ徐々に粉状になるので同様の課題が生じる。
【０００４】
本発明者は、炭粉の飛散を防止し、使用や取り扱いに便利で、しかも繊維に練り込むよりも多量の炭粉を保有させる方法として、炭粉を積層部材で挟むと共にバインダーで積層して積層体とすることに着目した。
【０００５】
しかし、炭粉と積層部材をバインダーで接合した場合は、バインダーが炭粉の表面を覆ってしまい、湿度調整機能や脱臭機能が消滅或いは低下することがわかった。
【０００６】
そこで本発明者は更に研究を重ね、バインダーの使用量を炭粉の飛散防止に必要な最小限の量にとどめ、炭粉と積層部材との接着にバインダーではなく繊維のフェルト化に際して使用されるニードルパンチ法を採用することによって、炭粉の飛散を防止すると共に炭粉が有する湿度調整機能や脱臭機能を確保できる発明を完成させた（特許文献１参照）
【０００７】
【特許文献１】特開２０００−３４３６３９号公報
【発明の開示】
【発明が解決しようとする課題】
【０００８】
特許文献１に記載の発明は、当初上記課題が解決できるものとして期待された。
しかし、上記発明にて構成されたものも、長期間使用することにより僅かではあるが炭粉が積層部材を通過して外部に出てしまうことがあった。炭は黒色の粉であるので僅かな量でも汚れが目立ってしまう。
【０００９】
本発明者は、藺草が湿度調整機能や脱臭機能等を有しており、かつ色彩が黒色でないことに着目した。そして更に藺草を粉状でなく切り屑等の細片状や織り成した状態のままで使用すれば、積層部材を通過して外部に出難く、万が一出たときでも汚れが目立たないようにできるのではないかとの着想を得た。
【００１０】
また、従来から藺草は上記機能を有するので、茣蓙を敷布団やベッドのマットレス上に敷いたり、座布団の表地等に使ったりして蒸れ防止を図るものとして使われている。しかし、夏場は良いが茣蓙や座布団は冬場表面が冷たくなるので使い心地が悪いという課題もある。
【００１１】
本発明の目的は、積層部材の間に藺草を細片状物や織成物として挟んで、湿度調整機能や脱臭機能等を確保する藺草積層体及びそれを使用した製品を提供することにある。
また、本発明の他の目的は、藺草の細片状物が積層部材を通過して外部に出難く、万が一出たときでも汚れが目立たない藺草積層体及びそれを使用した製品を提供することにある。
更に、本発明の他の目的は、表面が冷たくならず使い心地が良いので、年間を通して使用できる藺草積層体及びそれを使用した製品を提供することにある。
【課題を解決するための手段】
【００１２】
上記目的を達成するために本発明が講じた手段は次のとおりである。
本発明は、藺草の細片状物と、通気性を備えると共に上記藺草の細片状物が通過しない積層部材とを含み、積層部材の間に藺草の細片状物を全体的または散点的に散りばめた状態で挟んでいる藺草積層体である。
【００１３】
本発明は、藺草の織成物と、通気性を備える積層部材とを含み、積層部材の間に藺草の織成物を全体的または散点的に配置した状態で挟んでいる藺草積層体である。
【００１４】
本発明は、上記藺草積層体が通気性を有するカバー材で包まれている藺草積層体を使用した製品である。
【００１５】
藺草の細片状物は、例えば、畳表を切り揃える際に生じた端の部分の廃材が好適に使用できる。このように藺草の細片状物は切断したものを使用しても良いし、また、粉砕してできたものを使用しても良い。藺草の織成物は、藺草の茎を織り成したものであり、例えば、筵や畳表等が好適に使用できる。上記した藺草の細片状物や織成物は使い古したものでも良い。
【００１６】
藺草の細片状物や織成物は、積層部材の間において全体的にまたは散点的に設けられることが好ましい。要は、湿度調整機能や脱臭機能等が確保できるよう設けてあれば良い。
【００１７】
積層部材は、硬質のものを使用しても良いし、クッション性を備えているものを使用しても良い。硬質のものは剛性や可撓性を備えているものも好適である。また、クッション性を備えるものは、藺草積層体の上に寝たり座ったりなどするのに好適な柔らかさ、例えば、茣蓙、マット、ベッドパッド、敷布団、掛布団、座布団、こたつ用敷布団、こたつ用掛布団等に用いることができる程度のものが望ましい。
【００１８】
積層部材を構成する素材は、天然素材でも合成素材でも良い。例えば、天然素材であれば、綿、羊毛、絹、木材、竹材等が使用できるし、合成素材であれば合成樹脂（繊維、成形品、発泡体を含む）が使用できる。
【００１９】
積層部材は、例えば、接着剤を用いて一体化しても良いし、特許文献１で用いたニードルパンチ法を用いて一体化しても良い。なお、接着剤を用いる場合は、藺草の湿度調整機能や脱臭機能等が確保できる程度の量を使用することが好ましい。
【００２０】
積層部材の通気性は、素材自体が通気性を備えるものを使用しても良いし、加工により通気性を備えるようにしても良い。例えば、ニードルパンチ法を用いたものは、これによって形成された穴により通気性が確保される。
【００２１】
藺草積層体は、幅方向や長さ方向に複数個並べたり繋げたりして使用しても良い。
【００２２】
藺草積層体を使用した製品は、寝たり座ったりなどする敷物等、例えば、茣蓙、マット、ベッドパッド、敷布団、掛布団、座布団、こたつ用敷布団、こたつ用掛布団等を挙げることができる。
【００２３】
カバー材を構成する素材は、天然素材でも合成素材でも良い。例えば、天然素材であれば、綿、羊毛、絹等が使用できるし、合成素材であれば合成樹脂（繊維、成形品、発泡体を含む）が使用できる。
【００２４】
カバー材は藺草積層体の一部を包んでも良いし、全部を包んでも良い。
【００２５】
積層部材とカバー材の間にはクッション性を有する素材を設けても良い。この場合のクッション性を有する素材は、天然素材でも合成素材でも良い。例えば、天然素材であれば、綿、羊毛、絹や籾殻等の粒状性固体等が使用できるし、合成素材であれば合成樹脂（繊維、成形品、発泡体、粒状性固体を含む）が使用できる。
【００２６】
なお、特許請求の範囲及び次の作用の欄では、本発明の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００２７】
（作  用）
本発明に係る藺草積層体及びそれを使用した製品の作用を説明する。
本発明は、藺草の細片状物(2)と、通気性を備えると共に上記藺草の細片状物(2)が通過しない積層部材(1,1)とを含み、積層部材(1,1)の間に藺草の細片状物(2)を全体的または散点的に散りばめた状態で挟んでいる藺草積層体を備えている。
【００２８】
本発明は、藺草の織成物と、通気性を備える積層部材(1,1)とを含み、積層部材(1,1)の間に藺草の織成物を全体的または散点的に配置した状態で挟んでいる藺草積層体を備えている。
【００２９】
藺草積層体は、藺草の細片状物(2)や織成物が、積層部材(1,1)やカバー材(3)を通して湿度調整機能や脱臭機能等を確保する。
【００３０】
藺草積層体において積層部材(1,1)の間に挟んである藺草の細片状物(2)は、積層部材(1,1)を通過して外部に出難い。
【００３１】
積層部材(1,1)の間に細片状物(2)を挟んだものは、細片状物(2)は散りばめられており方向性を備えないので、方向性を考えなくても簡単に折り曲げたりロール状に巻いたりできる。
【００３２】
藺草積層体は、藺草の細片状物(2)や織成物が、積層部材(1,1)の間に挟んであるので直接触れない。
【発明の効果】
【００３３】
本発明は上記構成を備え、次の効果を有する。
（ａ）本発明によれば、藺草の細片状物や織成物が、積層部材やカバー材を通して湿度調整機能や脱臭機能等を確保する。
【００３４】
（ｂ）本発明によれば、藺草の細片状物が積層部材を通過して外部に出難く、万が一出たときでも汚れが目立たない。
【００３５】
（ｃ）本発明を構成する藺草は、細片状物であれば例えば畳表を切り揃える際に生じた端の部分の廃材が使用できるし、織成物であれば使用済みの筵や畳表等が使用できる。従って、これらのものを使用すればゴミの量の低減及び資源の有効利用が図れる。
【００３６】
（ｄ）積層部材の間に細片状物を挟んだものは、細片状物は散りばめられており方向性を備えないので、方向性を考えなくても簡単に折り曲げたりロール状に巻いたりできる。
【００３７】
（ｅ）本発明によれば、藺草の細片状物や織成物が、積層部材の間に挟んであるので直接触れない。従って、茣蓙や表地に藺草を用いた座布団のように表面が冷たくならず使い心地が良いので、年間を通して使用できる。
【発明を実施するための最良の形態】
【００３８】
本発明の実施の形態を図面に基づき更に詳細に説明する。
図１は本発明に係る藺草積層体を使用した製品である座布団の一実施の形態を示す一部切り欠き斜視説明図、
図２は図１に示す座布団の内部に設けた藺草積層体を示しており、上側のマット部材を捲って間に挟んだ藺草の細片状物を表した状態の斜視説明図である。
【００３９】
符号Ａは座布団を示している。座布団Ａは藺草積層体Ｈ１を備えている。藺草積層体Ｈ１は、通気性を有するマット部材１，１と、細片状物２を備えている。各マット部材１はクッション性を有しており、所要厚みを備えた平面視正方形状に形成してある。本実施の形態で示すマット部材１は合成樹脂製であり、繊維をフェルト状に形成したものを使用している。マット部材１は積層部材を構成する。
【００４０】
マット部材１，１の間には藺草の細片状物２が設けてある。細片状物２は湿度調整機能や脱臭機能等を有する。細片状物２は粉状にならないよう長さが２ｃｍ以下程度に藺草の茎の部分を切断してある。細片状物２はマット部材１，１の間の全体に拡げてある。細片状物２はマット部材１，１の間で重なり合うところもあるし、重なり合わないところもあるが、具体的には重なり合うところが多い。また、細片状物２が重なり合ったところも厚みは薄い。細片状物２はマット部材１，１を通過しない所要の大きさを有している。本実施の形態で示す細片状物２は、畳表を切り揃える際に発生する端の部分を使用している。
【００４１】
マット部材１，１は、それらの間に細片状物２の湿度調整機能や脱臭機能等が確保できる程度の量の接着剤を設けて接着してある。
【００４２】
座布団Ａは、細片状物２を挟んで一体化されたマット部材１，１が、カバー材である座布団カバー３で包まれている。座布団カバー３は通気性を有しており、具体的には織布を用いている。
【００４３】
（作  用）
図１及び図２を参照して、本実施の形態で示す座布団Ａの作用を説明する。
座布団Ａは、座布団カバー３とマット部材１，１が通気性を有しているので、座布団カバー３とマット部材１，１を通して、藺草の細片状物２が湿度調整機能や脱臭機能等を確保する。
【００４４】
座布団Ａは、藺草の細片状物２がマット部材１，１の間に通過しないよう挟んであるので、細片状物２はマット部材１，１から外部に出難い。
【００４５】
座布団Ａは、マット部材１，１の間に挟むものとして藺草を、しかも細片状物として使用することにより、湿度調整機能や脱臭機能等を確保すると共に、これがマット部材１，１から出難く、万が一出たときでも汚れが目立たない。
【００４６】
藺草の細片状物２は、畳表を切り揃える際に生じた端の部分の廃材を使用しているので、ゴミの量の低減及び資源の有効利用を図ることができる。なお、本実施の形態で細片状物２は、畳表を切り揃える際に発生する端の部分を使用しているが、これは限定するものではなく、廃材でないものも好適に使用できる。
【００４７】
座布団Ａは、マット部材１，１の間に細片状物２が散りばめられた状態で挟んであり方向性を備えないので、方向性を考えなくても簡単に折り曲げたりロール状に巻いたりできる。
【００４８】
座布団Ａは、マット部材１，１の間に細片状物２が挟んであるので、藺草に直接触れない。従って、茣蓙や表地に藺草を用いた座布団のように表面が冷たくならず使い心地が良いので、年間を通して使用できる。
【００４９】
本実施の形態で示すマット部材１は、合成樹脂製の繊維をフェルト状に形成したものを使用しているが、これは限定するものではなく、クッション性を有していれば、例えば発泡ポリウレタンフォームや低反発ポリウレタンフォーム等で形成したものを使用しても良い。また、マット部材は、天然繊維を使用しても良い。
【００５０】
本実施の形態でマット部材１，１は接着剤を用いて接着したが、これは限定するものではなく、マット部材１，１は、加工により、例えば、ニードルパンチ法を用いて一体化しても良い。なお、ニードルパンチ法による穴は極小さいので、ここから細片状物は出難い。
【００５１】
本実施の形態ではマット部材１，１の間に藺草の細片状物２を挟んだものを示したが、これは限定するものではなく、マット部材１，１の間には藺草の織成物を挟んでも良い。
【００５２】
また、本実施の形態でマット部材１は、素材自体が通気性を備えるものを使用したが、これも限定するものではなく、加工により、例えば、ニードルパンチ法を用いてマット部材を一体化したものは、これによって形成された穴により通気性が確保されるようにすれば、素材自体は通気性を備えないものを使用しても良い。
【００５３】
図３は本発明に係る藺草積層体を使用した製品であるベッドパッドの一実施の形態を示す一部切り欠き斜視説明図、
図４は図３に示すベッドパッドの断面説明図である。
なお、図３及び図４において、上記図１及び図２で示したものと同一または同等箇所には同一の符号を付して示している。また、以下の説明において構造について上記で示した箇所と重複する説明は、必要な事項を除き省略する。
【００５４】
符号Ｂはベッドパッドを示している。ベッドパッドＢは主に敷布団やベッドのマットレス上に敷いて使われる。ベッドパッドＢは、積層部材である硬質の板体１ａ，１ａと、この板体１ａ，１ａの間に藺草の細片状物２が挟んである藺草積層体Ｈ２を備えている。各板体１ａには通気性を備えるための通気穴１０が複数設けてある。通気穴１０は細片状物２が通過しない大きさにしてある。細片状物２は板体１ａ，１ａの間の全体に拡げてある。
【００５５】
各板体１ａは平面視正方形状に形成してある。また、各板体１ａは厚みが薄い。本実施の形態で示す板体１ａは合成樹脂製のものを使用している。板体１ａ，１ａは、それらの間に細片状物２の湿度調整機能や脱臭機能等が確保できる程度の量の接着剤を設けて接着してある。
【００５６】
藺草積層体Ｈ２は、クッション性及び通気性を有するマット部材４，４の間に挟んである。マット部材４，４は、所要厚みを備えた平面視長方形状に形成してある。藺草積層体Ｈ２は、マット部材４，４の長さ方向と幅方向に複数枚並べた状態で設けてある。藺草積層体Ｈ２は隣り合うものとの間にやや隙間をあけた状態で設けてある。
【００５７】
マット部材４，４は、それらの間に細片状物２の湿度調整機能や脱臭機能等が確保できる程度の量の接着剤を設けて接着してある。本実施の形態で示すマット部材４は合成樹脂製の発泡ポリウレタンフォーム（連続発泡）で形成したものを使用している。
【００５８】
ベッドパッドＢは、藺草積層体Ｈ２を挟んで一体化されたマット部材４，４が、カバー材であるベッドパッドカバー５で全体を包まれている。ベッドパッドカバー５は通気性を有しており、具体的には織布を用いている。
【００５９】
（作  用）
図３及び図４を参照して、本実施の形態で示すベッドパッドＢの作用を説明する。
なお、上記した座布団Ａと共通する構成により生じる同様の作用、効果については説明を省略し、相違する点についてのみ説明する。
【００６０】
ベッドパッドＢは、藺草積層体Ｈ２の板体１ａ、マット部材４，４及びベッドパッドカバー５が通気性を有しているので、これらを通して藺草の細片状物２が湿度調整機能や脱臭機能等を確保する。
【００６１】
ベッドパッドＢは、藺草の細片状物２が板体１ａ，１ａの間に通過しないよう挟んであるので細片状物２は外部に出難い。また、万が一出たときでも汚れが目立たない。
【００６２】
ベッドパッドＢは、藺草積層体Ｈ２が隣り合うものとの間にやや隙間をあけた状態で設けてあり、マット部材４，４はクッション性を有しているので、藺草積層体Ｈ２の隙間の部分で簡単に折り曲げて畳むことができる。
【００６３】
本実施の形態で示す板体１ａは合成樹脂製の硬質のものを使用しているが、これは限定するものではなく、例えば、軟質（クッション性を含む）のものを使用しても良い。また、厚みも薄いものに限定するものではなく、所要の厚みを有するものを使用しても良い。更に、素材も限定するものではなく、天然素材を使用しても良い。板体は、細片状物２を通過させないようにできれば、素材自体が通気性を備えるものを使用しても良い。
【００６４】
本実施の形態で示すマット部材４は、合成樹脂製の発泡ポリウレタンフォームで形成したものを使用しているが、これは限定するものではなく、クッション性を有していれば、例えば、繊維をフェルト状に形成したものや低反発ポリウレタンフォーム等で形成したものを使用しても良い。また、マット部材４は天然素材を使用しても良い。
【００６５】
本実施の形態で板体１ａ，１ａ及びマット部材４，４は接着剤を用いて接着したが、これは限定するものではなく、板体１ａ，１ａ、マット部材４，４は、加工により、例えば、縫い付けたりして一体化しても良い。
【００６６】
本実施の形態では板体１ａ，１ａの間に藺草の細片状物２を挟んだものを示したが、これは限定するものではなく、板体１ａ，１ａの間には藺草の織成物を挟んでも良い。
【００６７】
また、本実施の形態でマット部材４は、素材自体が通気性を備えるものを使用したが、これも限定するものではなく、加工により、例えば、通気孔を形成したりして通気性が確保されるようにすれば、素材自体は通気性を備えないものを使用しても良い。
【００６８】
上記実施の形態で細片状物２は粉状にならないよう長さが２ｃｍ以下程度に切断したものを使用したが、これも限定するものではなく、２ｃｍを超える長さに切断したものを使用しても良い。また、細片状物２は茎の状態のまま使用しても良いし、茎を潰して破砕するなどして幅を小さくした状態のものを使用しても良い。
【００６９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００７０】
【図１】本発明に係る藺草積層体を使用した製品である座布団の一実施の形態を示す一部切り欠き斜視説明図。
【図２】図１に示す座布団の内部に設けた藺草積層体を示しており、上側のマット部材を捲って間に挟んだ藺草の細片状物を表した状態の斜視説明図。
【図３】本発明に係る藺草積層体を使用した製品であるベッドパッドの一実施の形態を示す一部切り欠き斜視説明図。
【図４】図３に示すベッドパッドの断面説明図。
【符号の説明】
【００７１】
Ａ  座布団
Ｂ  ベッドパッド
Ｈ１  藺草積層体
Ｈ２  藺草積層体
１  マット部材
１ａ  板体
２  細片状物
３  布団カバー
４  マット部材
５  ベッドパッドカバー
【図１】
2007203540.tif 000003
【図２】
2007203540.tif 000004
【図３】
2007203540.tif 000005
【図４】
2007203540.tif 000006